(57)【要約】【課題】来訪者による呼出しがあったとき、表示部が来訪者の画像を表示不可能な状態にあっても、その後表示可能な状態となったときに改めて来訪者の画像を確認することで不都合を解消し、住宅等における防犯効果を高める。【解決手段】ドアホンには来訪者を撮像する撮像部を備えさせ、装置本体には撮像された来訪者の画像が表示される表示部を備えさせる。撮像された来訪者の画像データは画像保存手段によって保存し、この画像を表示要否問い合わせ手段によって表示部に表示するか否かを利用者に問い合わせる。保存されている来訪者の画像は、前記問い合わせにより取得された表示要否情報に応じて、画像表示手段によって表示部に所定時間表示させる。【選択図】  図２
2005033543.tif 000002
【特許請求の範囲】
【請求項１】
来訪者を撮像する撮像部を有するドアホンと、撮像された来訪者の画像が表示される表示部を有する装置本体と、前記ドアホンと装置本体との間でデータの送受信を行うドアホン接続手段とが設けられたドアホン装置であって、
撮像された来訪者の画像データを保存する画像保存手段と、
保存された来訪者の画像を表示部に表示するか否かを問い合わせる表示要否問い合わせ手段と、
この問い合わせにより取得された表示要否情報に応じて、保存されている来訪者の画像を表示部に所定時間表示する画像表示手段とを備えていることを特徴とするドアホン装置。
【請求項２】
来訪者の画像の表示要否情報は、利用者と来訪者とのドアホン通話中に、表示要否問い合わせ手段によって問い合わせられることを特徴とする請求項１に記載のドアホン装置。
【請求項３】
利用者と来訪者とがドアホン通話中か否かを問い合わせる通話情報問い合わせ手段が備えられ、
表示要否問い合わせ手段によって表示要否情報が取得されて、来訪者の画像を表示する場合、前記通話情報問い合わせ手段によって利用者と来訪者との通話終了情報が取得された後に、来訪者の画像が表示部に表示されることを特徴とする請求項２に記載のドアホン装置。
【請求項４】
表示部に来訪者の画像が表示されているか否かを問い合わせる表示有無問い合わせ手段が備えられ、
この問い合わせにより表示有無情報が取得されて、表示部に来訪者の画像が表示されていない場合、表示要否問い合わせ手段により取得された表示要否情報に基づいて来訪者の画像の表示／非表示が判断されることを特徴とする請求項１から３のいずれかに記載のドアホン装置。
【請求項５】
画像表示手段によって来訪者の画像を表示部に表示する時間を利用者が設定可能とされたことを特徴とする請求項１から４のいずれかに記載のドアホン装置。
【請求項６】
請求項５に記載のドアホン装置において、表示部にて来訪者の画像が表示されている時間を計測する時間計測手段が備えられ、利用者の設定した時間だけ表示部に来訪者の画像が表示されることを特徴とするドアホン装置。
【請求項７】
来訪者の画像データは、この来訪者と利用者とのドアホン通話中に、画像保存手段によって保存されることを特徴とする請求項１から６のいずれかに記載のドアホン装置。
【発明の詳細な説明】
【０００１】
【発明の属する技術分野】
この発明は、室内において来訪者を画像で確認することのできるドアホン装置に関する。
【０００２】
【従来の技術】
近年、住宅のピッキング被害やストーカー被害が急増しており、また悪質な訪問販売や勧誘等も多いことから、住宅における防犯対策に関心が高まっている。特に玄関部分においては、来訪者を音声だけでなく画像によっても確認することのできるカメラ付ドアホン装置を設置し、ドアを開ける前に来訪者を確認することで防犯効果を高めることも行われている。
【０００３】
この種のドアホン装置は、カメラ付玄関子機と室内親機とを備え、玄関子機で生成された映像信号及び音声信号を記憶する記憶手段と、玄関子機の呼出釦が押されたときに室内親機にチャイムを鳴らす鳴動手段と、玄関子機に照明を供給する照明手段とが設けられて構成されている。
【０００４】
これにより、来訪者があったときには玄関子機の呼出釦に連動して玄関の照明を点灯させたり、玄関子機によって撮影された来訪者の画像を自動的に録画し、来訪者のメッセージを録音したりすることができるようになっている（例えば、特許文献１参照。）。
【０００５】
【特許文献１】
特開平８−３７６５８号公報
【０００６】
【発明が解決しようとする課題】
前記のようなドアホン装置において、在宅時に玄関子機と室内親機との間で通話を行う際、室内親機の表示画面に来訪者の画像を表示可能であれば、来訪者を画像で確認してから通話を開始することができる。
【０００７】
しかし、例えば室内親機の表示画面に不具合を生じ、画像を表示不可能な状態であった場合には、来訪者によってドアホンの呼出しがあっても、表示画面にて来訪者を画像で確認することができないまま通話を開始しなければならない。特に、不要な来訪者による呼出しであると、それを確認できないまま通話・応対しなければならないという不都合が起こっていた。
【０００８】
かかる不都合に対し、来訪者との通話・応対後、表示画面が表示可能な状態になったときに、その来訪者の画像を表示画面に表示させ、改めて確認することができれば、再度同じ来訪者によって呼出しがあったときに表示画面で前回の不要な来訪者であることを認識することができる。また、何度も来訪している者であれば、過去の来訪者の画像からどの来訪者が訪れたかを確認することもでき、前記の不都合が改善される。
【０００９】
本発明は以上のような事情にかんがみてなされたものであり、来訪者による呼出しがあった際、表示画面が来訪者の画像を表示不可能な状態にあっても、その後表示可能な状態となったときに、その来訪者の画像を確認することで不都合を解消し、住宅等における防犯効果を高めることのできるドアホン装置を提供することを目的とする。
【００１０】
【課題を解決するための手段】
前記の目的を達成するため、本発明は、来訪者を撮像する撮像部を有するドアホンと、撮像された来訪者の画像が表示される表示部を有する装置本体と、前記ドアホンと装置本体との間でデータの送受信を行うドアホン接続手段とが設けられたドアホン装置であって、撮像された来訪者の画像データを保存する画像保存手段と、保存された来訪者の画像を表示部に表示するか否かを問い合わせる表示要否問い合わせ手段と、この問い合わせにより取得された表示要否情報に応じて、保存されている来訪者の画像を表示部に所定時間表示する画像表示手段とを備えていることを特徴とする。
【００１１】
より具体的には、来訪者の画像の表示要否情報は、利用者と来訪者とのドアホン通話中に、表示要否問い合わせ手段によって問い合わせられる。
【００１２】
これらの事項により、室内側の利用者は、来訪者との通話中にその来訪者の画像を表示部にて確認する必要があるか否かを判断し、例えば表示部が表示不可能な状態にあったときなどは、画像保存手段によって保存された来訪者の画像を改めて表示させることができるので、表示部が表示不可能な状態にあるときの不都合が改善される。また、表示部が表示可能な状態にあるときなど、来訪者の画像を再度表示させる必要のないときは、表示させないように指示することができるので、来訪者画像の不必要な出力処理は行われず、利便性も高めることができる。
【００１３】
また、本発明に係るドアホン装置は、利用者と来訪者とがドアホン通話中か否かを問い合わせる通話情報問い合わせ手段が備えられ、表示要否問い合わせ手段によって表示要否情報が取得されて、来訪者の画像を表示する場合、前記通話情報問い合わせ手段によって利用者と来訪者との通話終了情報が取得された後に、来訪者の画像が表示部に表示されることを特徴とする。
【００１４】
さらに、本発明に係るドアホン装置は、表示部に来訪者の画像が表示されているか否かを問い合わせる表示有無問い合わせ手段が備えられ、この問い合わせにより表示有無情報が取得されて、表示部に来訪者の画像が表示されていない場合、表示要否問い合わせ手段により取得された表示要否情報に基づいて来訪者の画像の表示／非表示が判断されることを特徴とする。
【００１５】
これらの事項により、利用者と来訪者との通話終了情報を取得可能となり、通話中と通話終了後のそれぞれにおける通信処理動作を実行させることができる。また表示部の表示有無情報に基づいて不要な画像処理を行うことが回避され、効率よく画像処理を実行させることができる。
【００１６】
また本発明は、前記のドアホン装置において、画像表示手段によって来訪者の画像を表示部に表示する時間を利用者が設定可能とされたことを特徴とする。
【００１７】
より具体的には、本発明のドアホン装置は、表示部にて来訪者の画像が表示されている時間を計測する時間計測手段が備えられ、利用者の設定した時間だけ表示部に来訪者の画像が表示される構成となっている。
【００１８】
これにより、来訪者の画像は利用者の要求に合わせて表示部に表示されるが、利用者の設定した時間が経過すると、その表示処理を終了させることができるので、さらに利便性を高めることができる。
【００１９】
また、本発明に係るドアホン装置は、来訪者の画像データが、この来訪者と利用者とのドアホン通話中に、画像保存手段によって保存されることを特徴とする。すなわち、前記通話情報問い合わせ手段によって通話終了情報が取得される前段階では、来訪者の画像データが画像保存手段によって保存され、通話終了情報が取得されると、来訪者の画像データの保存処理も終了する。これにより、不要な画像データの保存処理は行われることがなく、効率よく画像保存動作を実行させることができる。
【００２０】
【発明の実施の形態】
以下、本発明に係るドアホン装置の実施の形態について、図面を参照しつつ説明する。
【００２１】
図１は、本発明に係るドアホン装置の電気的構成を示すブロック図である。
【００２２】
本実施の形態のドアホン装置１は、装置本体１１にＣＰＵ（Ｃｅｎｔｒａｌ  Ｐｒｏｃｅｓｓｉｎｇ  Ｕｎｉｔ）１２、ＲＯＭ（Ｒｅａｄ  Ｏｎｌｙ  Ｍｅｍｏｒｙ）１３、ＲＡＭ（Ｒａｎｄｏｍ  Ａｃｃｅｓｓ  Ｍｅｍｏｒｙ）１４、時間計測部１５、入力操作部１６、表示部１７、及び音発生部１８を備えている。この装置本体１１は、ドアホン接続手段であるドアホン接続部１９を介してドアホン２０が接続され、相互にデータの送受信が可能とされている。ＣＰＵ１２と各構成部１３〜１９は、信号を伝達する信号線であるデータバス２１によって互いに接続されている。
【００２３】
ＣＰＵ１２は、制御手段としての機能を有する。このＣＰＵ１２は、ＲＯＭ１３に記憶されたプログラムを読み出して実行し、ドアホン装置１の全体を統括的に制御する。
【００２４】
装置本体１１の表示部１７は、かかるＣＰＵ１２から与えられる制御指令に従って、待機画像、登録設定入力画像及び来訪者画像などが表示可能とされている。待機画像は、ドアホン装置１が利用者又は来訪者によって操作されるのを待機している待機状態のときの画像である。登録設定入力画像は、ドアホン装置１の各構成部１５〜２０の機能条件設定を入力する場合に表示される画像である。また、来訪者画像は、ドアホン２０の撮像部２０１によって撮像された来訪者の画像である。
【００２５】
ＲＯＭ１３には、表示画面制御プログラム１３１及びルーチン機能実行プログラム１３２が記憶されている。このＲＯＭ１３は、ＣＰＵ１２から与えられた制御指令に従って、記憶されている各プログラム１３１，１３２を実行する。
【００２６】
このうち、表示画面制御プログラム１３１は、後述する表示部１７を制御するプログラムであり、ＣＰＵ１２が表示画面制御プログラム１３１を読み出して実行すると、表示部１７に制御指令を与えて制御する。また、この表示画面制御プログラム１３１は、本発明でいう画像表示手段を構成するものである。
【００２７】
ルーチン機能実行プログラム１３２は、装置本体１１の各構成部１４〜１９を制御するプログラムであり、ＣＰＵ１２がルーチン機能実行プログラム１３２を読み出して実行すると、装置本体１１の各構成部１４〜１９がそれぞれ所定の機能を実現するように、各構成部１４〜１９に制御指令を与えて制御する。
【００２８】
また、このＣＰＵ１２には、入力操作部１６からの入力指令や、ドアホン２０からドアホン２０が操作されたことを示す指令が与えられて、これらの各指令に基づきドアホン装置１の各構成部１４〜２０に制御指令を与える。
【００２９】
ＲＡＭ１４は、登録設定記憶部１４１、表示画面バッファ１４２、待機画面バッファ１４３、及びワークエリア１４４を備えて構成されている。登録設定記憶部１４１には、例えば、装置本体１１の呼出音の音量設定などの設定内容が記憶されている。表示画面バッファ１４２には、表示部１７に表示された来訪者の画像が一時記憶される。待機画面バッファ１４３には、他の通信装置が他の何らかの処理を待機している待機状態のとき、装置本体１１の表示部１７に表示される画像が一時記憶される。ワークエリア１４４には、ＣＰＵ１２が各構成部１３〜１９を制御するための制御情報が一時記憶される。
【００３０】
また、このＲＡＭ１４は、条件記憶手段としての機能も有する。条件記憶手段には、ドアホン装置１において来訪者の画像の表示条件等が設定されて記憶されている。
【００３１】
時間計測部１５は時間計測手段であり、第１タイマ１５１と第２タイマ１５２を備えている。これら第１及び第２タイマ１５１，１５２は、ＣＰＵ１２により与えられた制御指令に基づいて、それぞれあらかじめ設定された時間を経過した場合に、かかる時間が経過したことを示す指令をＣＰＵ１２に与える。
【００３２】
第１タイマ１５１は、ドアホン２０が来訪者によって操作された後、利用者が応答するまでの時間を計測する。そして、利用者がこれに応答することなく、あらかじめ利用者の設定した無応答設定時間が経過すると、かかる時間が経過したことを示す指令をＣＰＵ１２に与える。
【００３３】
第２タイマ１５２は、表示部１７に来訪者の画像が表示されている時間を計測し、あらかじめ利用者によって設定された表示設定時間が経過すると、かかる時間が経過したことを示す指令をＣＰＵ１２に与える。
【００３４】
入力操作部１６は、カーソルキー１６１、ファンクションキー１６２等の入力操作手段を備えている。入力操作部１６は、この入力操作部１６を用いて入力された情報をＣＰＵ１２に与える。カーソルキー１６１は、画面上で利用者が入力を行う位置を示すカーソルを移動させるのに用いられる。ファンクションキー１６２は、例えば呼出音の音量設定などの各種設定を行うためのキーであり、アプリケーションの機能を１つのキー入力で実行可能にする。
【００３５】
また、この入力操作部１６は、来訪者の画像を表示部１７に表示するか否かを指令する表示要否情報を入力する手段としての機能も備えている。
【００３６】
さらに、入力操作部１６は、条件入力手段としての機能も有する。条件入力手段によって、条件記憶手段に設定されて記憶される表示条件を選択して設定することができる。
【００３７】
ドアホン接続部１９は、来訪者と室内側の利用者との通信手段であって、ドアホン２０と通信してドアホン２０の状況を監視するとともに、ドアホン２０から与えられた指令をＣＰＵ１２に与える。
【００３８】
音発生部１８は、来訪者によって呼出しがあると、ＣＰＵ１２から与えられた制御指令に基づき呼出音を鳴動させる。
【００３９】
ドアホン２０は、来訪者用の通信・通話機であって、この来訪者を撮像する撮像部２０１を備えている。ドアホン２０は、例えば玄関の外側に配置されることが好ましい。また、ドアホン２０は、来訪者に操作されることによって、室内側に設置された装置本体１１と通信を行い、来訪者の画像及び音声、並びに室内側の利用者の音声を送受信する。
【００４０】
次に、前記構成のドアホン装置１において、来訪者があったときのドアホン装置１の通信処理動作について説明する。
【００４１】
図２及び図３は、本実施の形態のドアホン装置１において、来訪者によってドアホン２０が操作されてから、表示部１７にて来訪者の画像表示が終了するまでの一連の処理の流れを示すフローチャート図である。
【００４２】
ステップＳ１では、ドアホン２０に備えられたボタン２０２を来訪者が押下する等のドアホン２０の操作が来訪者によって行われる。ドアホン２０はドアホン接続部１９にドアホン２０が操作されたことを示す指令を与える。指令を受けたドアホン接続部１９は、ドアホン２０が操作されたこと示す指令をＣＰＵ１２に与える（ステップＳ１）。
【００４３】
また、音発生部１８によって呼出音を鳴動させて、来訪者があったことを利用者に知らせ（ステップＳ２）、第１タイマ１５１がセットされる（ステップＳ３）。
【００４４】
第１タイマ１５１は、あらかじめ利用者によって設定された無応答設定時間が経過した場合に、かかる時間が経過したことを示す指令をＣＰＵ１２に与える。無応答設定時間は、例えば３０秒〜６０秒の間の任意の時間に設定される（ステップＳ４）。
【００４５】
ステップＳ４では、撮像部２０１によって撮像された来訪者の画像を表示部１７に表示可能かどうかの判断を行う。表示部１７が画像を表示可能な状態であれば（ステップＳ４でＹｅｓと判断されると）、来訪者の画像データが出力されて表示部１７に画像が表示される（ステップＳ５）。また、表示部１７が画像を表示不可能な状態であれば（ステップＳ４でＮｏと判断されると）、前記の画像表示処理は行われない。
【００４６】
ステップＳ６では、第１タイマ１５１によって計測されている時間が、無応答設定時間を経過しているか否かが判断され、時間経過している場合には（ステップＳ６でＹｅｓと判断されると）、かかる時間が経過したことを示す指令をＣＰＵ１２に与え、ステップＳ２０に進む。
【００４７】
無応答設定時間が経過していない場合には（ステップＳ６でＮｏと判断されると）、ステップＳ７に進む。ステップＳ７は、利用者が来訪者からの呼出しに対して、室内の装置本体１１で通話・応答する処理である。
【００４８】
来訪者とのドアホン通話中には、随時ドアホン２０から送られてくる画像データがドアホン装置１のＣＰＵ１２によってＲＡＭ１４の表示画面バッファ１４２に保存される（ステップＳ８）。続いて、表示有無問い合わせ手段によって、表示部１７に来訪者の画像が表示されているか否かが問い合わせられる（ステップＳ９）。
【００４９】
この問い合わせにより表示有無情報が取得され、表示部１７に画像を表示中であれば（ステップＳ９でＹｅｓと判断されると）、表示画面バッファ１４２の画像データを更新する処理が行われる（ステップＳ１０）。
【００５０】
続いて、表示要否問い合わせ手段によって、ドアホン通話終了後、来訪者の画像を表示部１７に表示するか否かが問い合わせられる（ステップＳ１１）。利用者は、来訪者とのドアホン通話終了後に、通話した来訪者の画像を表示部１７に表示するか否かを判断し、その情報の入力を行う。
【００５１】
そして、例えば表示部１７の不具合で来訪者の画像を確認できなかった場合など、来訪者の画像を表示部１７に表示させて改めて確認したい場合には（ステップＳ１１でＹｅｓと判断されると）、画像を表示させる指示が入力操作部１６より入力され、この表示要否情報がＲＡＭ１４に保存されるとともに、かかる判断が入力されたことを示す指令がＣＰＵ１２に与えられる（ステップＳ１２）。表示部１７に来訪者の画像を表示させない指示が入力されると、この表示要否情報がＲＡＭ１４に保存されて、その指令がＣＰＵ１２に与えられる（ステップＳ１３）。そして、この場合には、例えば初期値として記憶されている情報が設定されてステップＳ１４に進む。
【００５２】
ステップＳ１４では、通話情報問い合わせ手段によって来訪者と利用者とのドアホン通話が終了したかどうかが判断される処理であり、通話終了情報が得られるとステップＳ１５へと進む。
【００５３】
来訪者と利用者とのドアホン通話が終了すると、表示有無問い合わせ手段によって、表示部１７に来訪者の画像が表示されているか否かが判断される（ステップＳ１５）。そして、来訪者の画像が表示中であれば（ステップＳ１５でＹｅｓと判断されると）、既に利用者は来訪者の画像を確認済みであると認識されて、ステップＳ２０へと進む。また、表示部１７に来訪者の画像が表示されていなければ（ステップＳ１５でＮｏと判断されると）、ステップＳ１６へと進む。
【００５４】
ステップＳ１６では、ステップＳ１１で取得された表示要否情報に基づいて、来訪者の画像の表示を開始するかどうかの判断がなされる。画像を表示させる指示が与えられていた場合には（ステップＳ１６でＹｅｓと判断されると）、ステップＳ１７へと進む。また、画像を表示させない指示が与えられていた場合には（ステップＳ１６でＮｏと判断されると）、ステップＳ２１へと進む。
【００５５】
ステップＳ１７では、表示部１７にて来訪者の画像が表示されている時間を計測する第２タイマ（時間計測手段）がセットされ、時間の計測が開始される。この表示時間は、あらかじめ利用者により所定の時間が設定されている。
【００５６】
ステップＳ１８では、ＣＰＵ１２が表示部１７に制御指令を与え、表示画面バッファ１４２に保存されている来訪者の画像データが出力されて、画像が表示部１７に表示される。
【００５７】
第２タイマによる時間計測によって、表示部１７にて来訪者の画像が表示されている時間がステップＳ１７で設定された表示時間となると（ステップＳ１９でＹｅｓと判断されると）、ステップＳ２０へと進む。また、表示時間が経過していないのであれば（ステップＳ１９でＮｏと判断されると）、表示時間となるまで引き続き画像が表示される。
【００５８】
ステップＳ２０ではドアホン終了処理が行われる。図３は、このドアホン終了処理の流れを示すフローチャート図である。終了処理に先立って、現段階において表示部１７に来訪者の画像が表示されているか否かが判断される（ステップＳ３１）。表示部１７に来訪者の画像が表示されている場合には、この表示されている画像を消去し、あらかじめＲＡＭ１４の待機画面バッファ１４３に保存されている待機画面が出力され、ドアホン終了処理が完了する（ステップＳ３２）。
【００５９】
以上のように、本発明にドアホン装置１によれば、来訪者による呼出しがあった際、表示部が来訪者の画像を表示不可能な状態にあっても、その後表示可能な状態となったときに、その来訪者を画像で改めて確認することができる。したがって、再度同じ来訪者によって呼出しがあったときに表示部で前回の不要な来訪者であることを認識できたり、何度も来訪している者であれば、過去の来訪者の画像からどの来訪者が訪れたかを確認したりすることもできるので、防犯効果が高められる。
【００６０】
また本発明は、例えば電話機やファクシミリ装置のように、室内に設置される装置本体１１が親機と子機とで構成されて、表示部１７が親機又は子機のいずれか一方にしか備えられていないような場合にも、効果的に適用することができる。すなわち、来訪者の呼出しに対して、表示部１７を備えていない一方の端末で応答した場合には来訪者を画像で確認できないが、ドアホン通話終了後、表示部を備えた他方の端末にて来訪者の画像を表示させることが可能となるので、改めて来訪者を画像で確認することができる。
【００６１】
【発明の効果】
以上説明したように、本発明に係るドアホン装置は、撮像された来訪者の画像が表示される表示部を有する装置本体に、撮像された来訪者の画像データを保存する画像保存手段と、保存された来訪者の画像を表示部に表示するか否かを問い合わせる表示要否問い合わせ手段とを備えるとともに、ドアホンには来訪者を撮像する撮像部が備えられている。そして、前記の問い合わせによって取得された表示要否情報に応じて、保存されている来訪者の画像を表示部に所定時間表示する画像表示手段を備えている。
【００６２】
これにより、もし来訪者からの呼出しがあったとき、来訪者の画像を表示部に表示できない場合でも、画像保存手段によって保存された来訪者の画像を、通話終了後、表示部が表示可能な状態となってから改めて確認することができる。これにより、再度同じ来訪者があったときに、その来訪者の画像を前回確認しているので、どのような来訪者であるかを認識することができ、防犯効果を高めることができる。また、表示要否問い合わせ手段によって、来訪者の画像を表示部に表示するか否かを選択することができるので、来訪者を画像で確認するのが不要な場合には不必要に画像表示することが回避され、ドアホン装置の利便性も向上させることが可能となる。
【図面の簡単な説明】
【図１】本発明に係るドアホン装置の電気的構成を示すブロック図である。
【図２】本発明に係るドアホン装置における一連の処理の流れを示すフローチャート図である。
【図３】本発明に係るドアホン装置のドアホン通話終了処理の流れを示すフローチャート図である。
【符号の説明】
１      ドアホン装置
１１    装置本体
１２    ＣＰＵ
１３    ＲＯＭ
１３１  表示画面制御プログラム
１３２  ルーチン機能実行プログラム
１４    ＲＡＭ
１４１  登録設定記憶部
１４２  表示画面バッファ（画像保存手段）
１４３  待機画面バッファ
１４４  ワークエリア
１５    時間計測部
１５１  第１タイマ
１５２  第２タイマ
１６    入力操作部
１６１  カーソルキー
１６２  ファンクションキー
１７    表示部
１８    音発生部
１９  ドアホン接続部
２０  ドアホン
２０１  撮像部
２０２  ボタン
２１  データバス
【図１】
2005033543.tif 000003
【図２】
2005033543.tif 000004
【図３】
2005033543.tif 000005